(57)【要約】【課題】  任意に設定された画像を待ち受けアプリケーションの背景として表示する機能を携帯情報機器に実現させる待ち受けアプリケーションプログラムを提供する。【解決手段】  待ち受けアプリケーションの操作を行うことができない非活性モードにおいて、携帯情報機器の表示部１６にユーザにより設定された任意の画像を背景とし、背景の画像の主要部と重複しない株価情報表示領域５０に、待ち受けアプリケーションプログラムを作動させることによりネットワークを介して取得された株価情報を表示し、ニュース表示領域５２に待ち受けアプリケーションプログラムを作動させることによりネットワークを介して取得された時事ニュースのヘッドライン情報を表示する機能を携帯情報機器に実現させる。【選択図】  図６
2005039525.tif 000002
【特許請求の範囲】
【請求項１】
携帯情報機器に、
待ち受け画面に常駐する待ち受けアプリケーションの背景に用いる任意の画像を設定する背景画像設定機能、
前記待ち受けアプリケーションの操作を行うことができない非活性モードにおいて、
ネットワークを介して所定情報を取得する情報取得機能、
前記情報取得機能により取得された所定情報を記憶する取得情報記憶機能、
前記背景画像設定機能により設定された画像を背景として前記記憶されている所定情報を表示する表示機能
を実現させるための待ち受けアプリケーションプログラム。
【請求項２】
前記表示機能により、
前記背景画像設定機能により設定された画像を背景として、該設定された画像の主要部と重複しない領域に、前記記憶されている所定情報を表示する請求項１記載の待ち受けアプリケーションプログラム。
【請求項３】
前記情報取得機能により、
予め登録された所定の株式銘柄の株価情報を取得する請求項１又は請求項２記載の待ち受けアプリケーションプログラム。
【請求項４】
前記待ち受けアプリケーションの操作を行うことができる活性化モードにおいて、
前記情報取得機能により、
該情報取得機能により取得される所定情報の提供元Ｗｅｂサイトに、前記ネットワークを介して接続し詳細な情報を取得する請求項１〜請求項３の何れか一項に記載の待ち受けアプリケーションプログラム。
【請求項５】
所定の画像を記憶する画像記憶手段と、
前記画像記憶手段に記憶されている画像の中から、待ち受け画面に常駐する待ち受けアプリケーションの背景として用いる任意の画像を設定する背景画像設定手段と、
前記待ち受けアプリケーションの操作を行うことができない非活性モードにおいて、
ネットワークを介して所定情報を取得する情報取得手段と、
前記情報取得手段により取得された所定情報を記憶する取得情報記憶手段と、
前記背景画像設定手段により設定された画像を背景として前記取得情報記憶手段に記憶されている所定情報を表示する表示手段と
を備えることを特徴とする携帯情報機器。
【請求項６】
前記表示手段は、
前記背景画像設定手段により設定された画像の主要部と重複しない領域に、前記取得情報記憶手段に記憶されている所定情報の表示領域を指定する表示領域指定手段を備え、
前記設定された画像を背景として、前記表示領域指定手段により指定された表示領域に前記所定情報を表示することを特徴とする請求項５記載の携帯情報機器。
【請求項７】
前記情報取得手段は、
株価情報を取得する株式銘柄を登録する株式銘柄登録手段を備え、
前記株式銘柄登録手段により登録された株式銘柄の株価情報を取得することを特徴とする請求項５又は請求項６記載の携帯情報機器。
【請求項８】
前記待ち受けアプリケーションの操作を行うことができない非活性モードと、該待ち受けアプリケーションの操作を行うことができる活性化モードとを切り替えるモード切替手段を備え、
前記モード切替手段により非活性モードから活性化モードに切り替えられた場合に、
前記情報取得手段により取得される所定情報の提供元Ｗｅｂサイトに、前記ネットワークを介して接続することを特徴とする請求項５〜請求項７の何れか一項に記載の携帯情報機器。
【発明の詳細な説明】
【技術分野】
【０００１】
この発明は、待ち受け画面に常駐する待ち受けアプリケーションプログラム及びアプリケーションを待ち受け画面に常駐させる携帯情報機器に関するものである。
【背景技術】
【０００２】
近年、携帯情報機器、例えば、携帯電話は移動通信機器として広く普及しており、その機能の拡充が図られている。即ち、インターネット等のネットワークを介して各種のＷｅｂサイトに掲載されている情報を閲覧する機能や、デジタルカメラの機能を備える携帯電話が提供されている。このような携帯電話においては、ネットワークを介して取得されたアイドルの写真画像や、デジタルカメラを用いてユーザが撮影した写真画像等が待ち受け時に表示される画像（待ち受け画面）として用いられている。
【０００３】
なお、Ｊａｖａ（サン・マイクロシステムズ・インコーポレーテッドの登録商標）実行環境を搭載し、ネットワークを介して各種企業等のＷｅｂサイトからアプリケーションプログラムをダウンロードして蓄積し、アプリケーションを作動させることができる機能を備えた携帯電話が存在する（例えば、非特許文献１参照）。また、携帯電話において作動するアプリケーションの中には、待ち受け画面に常駐することが可能なアプリケーション（待ち受けアプリケーション）が存在する（例えば、非特許文献２参照）。
【０００４】
【非特許文献１】ＮＴＴデータ・ユビキタス研究会著、「ｉアプリでケータイが変わる！」、株式会社カットシステム、２００１年３月１日、Ｐ．２−５、Ｐ．３０−３７
【０００５】
【非特許文献２】インターネット<URL:http://www.nttdocomo.co.jp/p_s/imode/java/qa_504i.html>
【発明の開示】
【発明が解決しようとする課題】
【０００６】
ところで、携帯情報機器、例えば、携帯電話においては、待ち受け時に表示される画像として、個々の携帯電話ユーザの自らの好みに合致した画像、例えば、ユーザが撮影した写真画像等が多く用いられている。しかし、任意のアプリケーションを待ち受けアプリケーションとして設定した場合、ユーザが待ち受け画面として設定していた画像に代えて、待ち受けアプリケーションとして設定されたアプリケーションが表示される。即ち、ユーザにより設定された待ち受け画像と、待ち受けアプリケーションの双方を、待ち受け時に同時に表示することはできず、何れか一方のみが表示される。
【０００７】
この発明の課題は、任意に設定された画像を待ち受けアプリケーションの背景として表示する機能を携帯情報機器に実現させる待ち受けアプリケーションプログラム及び待ち受けアプリケーションの背景として表示される画像を任意に設定することができる携帯情報機器を提供することである。
【課題を解決するための手段】
【０００８】
請求項１記載の待ち受けアプリケーションプログラムは、携帯情報機器に、待ち受け画面に常駐する待ち受けアプリケーションの背景に用いる任意の画像を設定する背景画像設定機能、前記待ち受けアプリケーションの操作を行うことができない非活性モードにおいて、ネットワークを介して所定情報を取得する情報取得機能、前記情報取得機能により取得された所定情報を記憶する取得情報記憶機能、前記背景画像設定機能により設定された画像を背景として前記記憶されている所定情報を表示する表示機能を実現させることを特徴とする。
【０００９】
この請求項１記載の待ち受けアプリケーションプログラムによれば、待ち受け画面に常駐する待ち受けアプリケーションの背景に用いる任意の画像を設定し、設定された画像を背景としてネットワークを介して取得された情報を表示する機能を携帯情報機器に実現させることができる。従って、待ち受けアプリケーションの背景に表示される画像をユーザが任意に設定することができるため、自分の好みに合致した待ち受け画像を用いることを希望しているユーザにも、この待ち受けアプリケーションプログラムの利用を促すことができる。
【００１０】
また、請求項２記載の待ち受けアプリケーションプログラムは、前記表示機能により、前記背景画像設定機能により設定された画像を背景として、該設定された画像の主要部と重複しない領域に、前記記憶されている所定情報を表示することを特徴とする。
【００１１】
この請求項２記載の待ち受けアプリケーションプログラムによれば、取得された所定情報を、背景として設定された画像の主要部と重複しない領域に表示することができる。従って、例えば、ユーザにより設定された任意の画像の主要部とネットワークを介して取得された所定情報とが重複することなく、それぞれを違和感なく同時に表示することができる。
【００１２】
また、請求項３記載の待ち受けアプリケーションプログラムは、前記情報取得機能により、予め登録された所定の株式銘柄の株価情報を取得することを特徴とする。
【００１３】
この請求項３記載の待ち受けアプリケーションプログラムによれば、予め登録された所定の株式銘柄の株価情報を取得することができる。従って、例えば、株式取引に関心を抱いているユーザが使用する携帯情報機器にこの待ち受けアプリケーションプログラムが用いられる割合を向上させることによって、ユーザの株式取引意欲を適切に喚起することができる。
【００１４】
また、請求項４記載の待ち受けアプリケーションプログラムは、前記待ち受けアプリケーションの操作を行うことができる活性化モードにおいて、前記情報取得機能により、該情報取得機能により取得される所定情報の提供元Ｗｅｂサイトに、前記ネットワークを介して接続し詳細な情報を取得することを特徴とする。
【００１５】
この請求項４記載の待ち受けアプリケーションプログラムによれば、待ち受けアプリケーションプログラムを活性化させることにより、所定情報の提供元Ｗｅｂサイトに接続して、より詳細な情報を閲覧することができる。
【００１６】
また、請求項５記載の携帯情報機器は、所定の画像を記憶する画像記憶手段と、前記画像記憶手段に記憶されている画像の中から、待ち受け画面に常駐する待ち受けアプリケーションの背景として用いる任意の画像を設定する背景画像設定手段と、前記待ち受けアプリケーションの操作を行うことができない非活性モードにおいて、ネットワークを介して所定情報を取得する情報取得手段と、前記情報取得手段により取得された所定情報を記憶する取得情報記憶手段と、前記背景画像設定手段により設定された画像を背景として前記取得情報記憶手段に記憶されている所定情報を表示する表示手段とを備えることを特徴とする。
【００１７】
この請求項５記載の携帯情報機器によれば、非活性モードにおいて、待ち受けアプリケーションプログラムを作動させることによりネットワークを介して取得された所定情報と、背景として設定された画像を待ち受け画面に表示することができる。従って、待ち受けアプリケーションの背景として、ユーザの自らの好みに合致した任意の画像を設定することができる。
【００１８】
また、請求項６記載の携帯情報機器は、前記表示手段が、前記背景画像設定手段により設定された画像の主要部と重複しない領域に、前記取得情報記憶手段に記憶されている所定情報の表示領域を指定する表示領域指定手段を備え、前記設定された画像を背景として、前記表示領域指定手段により指定された表示領域に前記所定情報を表示することを特徴とする。
【００１９】
この請求項６記載の携帯情報機器によれば、設定された画像の主要部と重複しない領域に、取得された所定の情報を表示することができる。従って、背景として設定された画像と、待ち受けアプリケーションプログラムを作動させることにより取得された情報とを違和感なく同時に表示することができる。
【００２０】
また、請求項７記載の携帯情報機器は、前記情報取得手段が、株価情報を取得する株式銘柄を登録する株式銘柄登録手段を備え、前記株式銘柄登録手段により登録された株式銘柄の株価情報を取得することを特徴とする。
【００２１】
この請求項７記載の携帯情報機器によれば、待ち受け画像として、ユーザにより設定された画像と共に予め登録された株式銘柄の株価情報を表示することができる。従って、株式投資に関心を抱いているユーザに対して株価情報を提供することにより、ユーザの株式取引に対する意欲を適切に喚起することができる。
【００２２】
また、請求項８記載の携帯情報機器は、前記待ち受けアプリケーションの操作を行うことができない非活性モードと、該待ち受けアプリケーションの操作を行うことができる活性化モードとを切り替えるモード切替手段を備え、前記モード切替手段により非活性モードから活性化モードに切り替えられた場合に、前記情報取得手段により取得される所定情報の提供元Ｗｅｂサイトに、前記ネットワークを介して接続することを特徴とする。
【００２３】
この請求項８記載の携帯情報機器によれば、待ち受けアプリケーションのモードを非活性モードから活性化モードに切り替えることにより、所定情報の提供元Ｗｅｂサイトに接続し、より詳細な所定情報の閲覧を行うことができる。
【発明の効果】
【００２４】
この待ち受けアプリケーションプログラムによれば、待ち受け画面に常駐する待ち受けアプリケーションの背景に用いる任意の画像を設定し、設定された画像を背景としてネットワークを介して取得された情報を表示する機能を携帯情報機器に実現させることができる。従って、自分の好みの画像を待ち受け画像として用いることを希望しているユーザにも、この待ち受けアプリケーションプログラムの登録を促すことができる。そのため、例えば、この待ち受けアプリケーションプログラムを証券会社のＷｅｂサイトを介して提供した場合に、証券会社のＷｅｂサイトを介してこの待ち受けアプリケーションプログラムをダウンロードし、待ち受け画面に常駐させる待ち受けアプリケーションとして登録するユーザの割合を増加させることができる。
【００２５】
また、この携帯情報機器によれば、待ち受けとして登録された待ち受けアプリケーションの背景に任意の画像を設定し、アプリケーションが作動することによりネットワークを介して取得された所定情報を背景画像の主要部を避けて表示することができる。従って、待ち受けに用いることができるアプリケーションとして、例えば、ホームトレード機能を有する待ち受けアプリケーションの利用促進を図ることにより、株式取引に対するユーザの需要を適切に喚起することができる。
【発明を実施するための最良の形態】
【００２６】
以下、図面を参照してこの発明を実施するための最良の形態に係る待ち受けアプリケーションプログラムが組み込まれた携帯情報機器について説明する。なお、以下においては、携帯情報機器として携帯電話を例に説明を行う。
【００２７】
図１は、この発明の実施の形態に係る携帯電話の外観を示す図である。図１に示すように、携帯電話２は、ヒンジ部４を介して接続されている上側筐体６と下側筐体８とを備えている。この上側筐体６と下側筐体８とはヒンジ部４を介して回動可能にそれぞれ接続されているため、このヒンジ部４を介して上側筐体６と下側筐体８を重ね合わせることによって携帯電話２を折りたたむ（閉じる）ことができる。なお、図１においては、開いた状態の携帯電話２を示している。
【００２８】
上側筐体６には、上端面６ａの左端部に、アンテナ１０が引出収納自在に設けられている。このアンテナ１０を介して携帯電話基地局４４（図３参照）との間で信号を送受信することにより、携帯電話２を用いて通話、電子メールの送受信等を行うことができる。
【００２９】
また、上側筐体６には、その前面６ｂの上側に上端面６ａの一部をなすＣＣＤ（Ｃｈａｒｇｅ  Ｃｏｕｐｌｅｄ  Ｄｅｖｉｃｅ：固体撮像素子）型のカメラ１２が回動可能に設けられている。従って、カメラ１２を自在に回動させることによって、このカメラ１２が備えるレンズ１４を介して被写体を撮影することができる。
【００３０】
また、上側筐体６には、その前面６ｂの中央部に、液晶ディスプレイからなる表示部１６が設けられている。この表示部１６には、日付、時刻、発信履歴、着信履歴、カメラ１２により撮影される被写体の画像、電子メールの文字及び画像等が表示される。また、カメラ１２と表示部１６との間には、スピーカ１８が設けられている。このスピーカ１８を介して、通話相手の音声、着信音、警報音等が出力される。
【００３１】
下側筐体８には、その前面８ａの中央部に各数字ボタン、開始（通話開始）ボタン、電源兼終話ボタン及びクリアボタン等から構成される入力部２０が設けられている。この入力部２０を介して各種命令を入力することにより、携帯電話２において所定の処理を実行することができる。
【００３２】
また、下側筐体８には、その前面８ａの下部に、マイク２２が設けられている。このマイク２２を介して、例えば、通話時における携帯電話２のユーザの音声が集音される。更に、下側筐体８には、その裏面に、バッテリパック（図示せず）が装着されており、このバッテリパックから携帯電話２に電力が供給されている。
【００３３】
図２は、実施の形態に係る携帯電話のブロック構成図である。図２に示すように、携帯電話２は、携帯電話２におけるデータの処理を制御するデータ制御部３０を備えている。このデータ制御部３０には、携帯電話基地局４４（図３参照）との間で信号の送受信を行うためのアンテナ１０、被写体の撮影を行うカメラ１２及び通話相手の音声等を出力するためのスピーカ１８が接続されている。また、データ制御部３０には、日時、時刻及び発信履歴等を表示する表示部１６、各数字ボタンや電源ボタン等により構成される入力部２０及び携帯電話２のユーザの音声を集音するためのマイク２２が接続されている。また、データ制御部３０には、データ記憶部３２が接続されている。
【００３４】
データ記憶部３２には、発信履歴、着信履歴、送受信された電子メール及びカメラ１２を介して撮影された被写体の画像が記憶されている。また、このデータ記憶部３２には、携帯電話２のユーザにより作成された電話帳、即ち、氏名、電話番号及び電子メールアドレス等を含む情報が記憶されている。更に、このデータ記憶部３２には、携帯電話２において所定のアプリケーションを作動させるためのアプリケーションプログラムが記憶されている。
【００３５】
このデータ記憶部３２に記憶されているアプリケーションプログラムは、例えば、ゲームソフトウェア製作会社、銀行、証券会社及び電気機器メーカ等の各種企業によりネットワークを介して提供されているプログラムである。即ち、携帯電話２においては、ネットワークを介して任意のアプリケーションプログラムを取得し、データ記憶部３２に記憶している。
【００３６】
携帯電話２は、図３に示すように、携帯電話基地局４４及びネットワーク４０を介してＷｅｂサーバ４２ａ、４２ｂ、４２ｃに接続することができる。ここで、例えば、証券会社のＷｅｂサイトを構成するＷｅｂページのデータ及び証券会社が提供している株価情報提供アプリケーションプログラムがＷｅｂサーバ４２ａに記憶されているとする。この場合に、株価情報提供アプリケーションプログラムを取得するためには、まず、Ｗｅｂサーバ４２ａに携帯電話基地局４４及びネットワーク４０を介して接続し、Ｗｅｂサーバ４２ａに対して株価情報提供アプリケーションプログラムの送信を要求する。そして、携帯電話２からの送信要求に基づいてＷｅｂサーバ４２ａからネットワーク４０及び携帯電話基地局４４を介して送信された株価情報提供アプリケーションプログラムを受信しデータ記憶部３２に記憶することにより取得する。
【００３７】
次に、図４のフローチャートを参照して、この発明の実施の形態に係る携帯電話において待ち受けアプリケーションを登録する処理について説明する。なお、以下に説明する処理において、待ち受け画面に常駐させるアプリケーションプログラム、背景画像として用いる画像、提供される情報及び提供される情報の表示形式の等は、携帯電話２のユーザが任意に選択することができる。
【００３８】
まず、データ記憶部３２に記憶されている複数のアプリケーションプログラムの中から待ち受け画面に常駐させるアプリケーションプログラムを選択する（ステップＳ１０）。即ち、表示部１６に表示される待ち受け画面に常駐させるアプリケーションであって、待ち受け画面上で作動するアプリケーションを一つ選択する。なお、以下においては、待ち受けアプリケーションとして証券会社により株価情報及び時事ニュースのヘッドライン情報が提供される株価情報提供アプリケーションが選択された場合を例として説明する。
【００３９】
次に、ステップＳ１０において選択された株価情報提供アプリケーションの背景に用いる任意の画像（背景画像）を設定する（ステップＳ１１）。即ち、データ記憶部３２に記憶されている画像、例えば、カメラ１２を介して携帯電話２のユーザにより撮影されたペットや家族の写真画像やネットワーク４０を介して各種Ｗｅｂサイトから取得された画像等の中から、待ち受けアプリケーションの背景として用いる画像を選択し、選択された画像を株価情報提供アプリケーションの背景画像として設定する。
【００４０】
次に、背景画像の主要部と重複しない領域に、選択された株価情報提供アプリケーションにより提供される株価情報及び時事ニュースのヘッドライン情報を表示するための表示領域を設定する（ステップＳ１２）。即ち、予め設定されている表示パターンの中から、設定された背景画像の主要部と重複しない領域に株価情報及び時事ニュースのヘッドライン情報が表示される表示パターンを選択することにより、表示領域を設定する。
【００４１】
図５は、表示領域を設定する際に選択可能な表示パターンの例を示す図である。例えば、背景画像の主要部が表示部１６の上部に存在する場合には、図５（ａ）に示すように、表示部１６の下部に株価情報を表示する株価情報表示領域５０及び時事ニュースのヘッドライン情報を表示するニュース表示領域５２が設定されている表示パターンを選択する。また、背景画像の主要部が表示部１６の中央部に存在する場合には、図５（ｂ）に示すように、表示部１６の上部に株価情報表示領域５０が、表示部１６の下部にニュース表示領域５２が設定されている表示パターンを選択する。また、背景画像の主要部が表示部１６の下部に存在する場合には、図５（ｃ）に示すように、表示部１６の上部に株価情報表示領域５０及びニュース表示領域５２が設定されている表示パターンを選択する。なお、株価情報表示領域５０とニュース表示領域５２の位置を相互に置き換えた表示パターンを選択することができるようにしてもよい。
【００４２】
図６は、株価情報表示領域及びニュース表示領域が設定された表示部１６の一例を示す図である。この図６に示すように、図５（ａ）の表示パターンが選択された場合には、背景画像が表示されている表示部１６の下部に設けられた株価情報表示領域５０に株価情報が、ニュース表示領域５２に時事ニュースのヘッドライン情報がそれぞれ表示される。
【００４３】
次に、株価情報を取得する株式銘柄を登録する（ステップＳ１３）。例えば、東京証券取引所に上場している株式銘柄の中から、株価情報を取得する１０の株式銘柄を選択し、選択した株式銘柄をデータ記憶部３２に登録する。なお、登録可能な株式銘柄の一覧等から株価情報を取得する株式銘柄を選択しデータ記憶部３２に登録するようにしてもよい。
【００４４】
次に、ステップＳ１０において選択された株価情報提供アプリケーションを、待ち受け画面に常駐させる待ち受けアプリケーションとして登録する（ステップＳ１４）。待ち受け画面に常駐する待ち受けアプリケーションとして株価情報提供アプリケーションが登録された場合には、非活性モードにおいて、設定された背景画像を背景として株価情報及び時事ニュースのヘッドライン情報がそれぞれ設定された表示領域に表示される。
【００４５】
ここで、待ち受けアプリケーションには、携帯電話２のユーザが入力部２０を構成するボタンを操作した場合に、ボタン操作が待ち受けアプリケーションに伝えられるモード（活性化モード）と、ボタン操作が待ち受けアプリケーションには伝えられず、携帯電話２本来のシステムに伝えられるモード（非活性モード）とが予め設定されている。即ち、活性化モードにおいては、待ち受けアプリケーションの操作を行うことができるが、非活性モードにおいては待ち受けアプリケーションの操作を行うことができない。従って、携帯電話２のユーザは、電話をかける等の場合には非活性モードに、待ち受けアプリケーションの操作を行う場合には活性化モードにと、任意にモードを切り替えて携帯電話２を使用することができる。
【００４６】
また、非活性モードと活性化モードとの切り替えは、図示しない活性化ボタンを操作することにより行われる。なお、この活性化ボタンは、例えば、クリアボタン等が兼ねており、このクリアボタンを５秒間程度継続して押した場合等に、非活性モードと活性化モードとの切り替えを行うことができる。
【００４７】
また、待ち受けアプリケーションのモードとして、待ち受けアプリケーションプログラムの作動を完全に停止する休眠モードが更に設定されている。この休眠モードは、携帯電話２における消費電力を削減するために用いられるモードであり、休眠モードへの切り替えは、携帯電話２を開閉することにより行うことができる。即ち、携帯電話２は、ヒンジ部４において上側筐体６と下側筐体８とを重ね合わせ、表示部１６及び入力部２２を内側にして閉じることができる。そのため、携帯電話２が閉じられた場合には、待ち受けアプリケーションのモードが非活性モードから休眠モードに切り替えられ、携帯電話２が開かれた場合には、休眠モードから非活性モードに切り替えられる。
【００４８】
次に、図７のフローチャートを参照して、待ち受けアプリケーションとして登録されたアプリケーションプログラムにより情報の提供が行われる処理について説明する。なお、以下においては、証券会社により提供されている株価情報提供アプリケーションが待ち受けアプリケーションとして登録されている場合を例として説明する。
【００４９】
まず、携帯電話２が開かれた場合には（ステップＳ２０）、株価情報及び時事ニュースのヘッドライン情報を取得する（ステップＳ２１）。即ち、まず、携帯電話２が開かれた場合には、待ち受けアプリケーションのモードが休眠モードから非活性モードに自動的に切り替えられる。次に、データ記憶部３２に記憶されている株価情報提供アプリケーションプログラムを作動させることにより、証券会社のＷｅｂサイトに携帯電話基地局４４及びネットワーク４０（図３参照）を介して接続する。そして、その時点においてＷｅｂサイトを介して提供されている最新の株価情報及び時事ニュースのヘッドライン情報が取得される。
【００５０】
なお、株価情報は、データ記憶部３２に記憶されている予め登録された１０の株式銘柄について取得される。また、例えば、時事ニュースのヘッドライン情報が証券会社と提携している通信社等のＷｅｂサイトにおいて提供されている場合には、通信社のＷｅｂサイトに携帯電話基地局４４及びネットワーク４０を介して接続し時事ニュースのヘッドライン情報が取得される。
【００５１】
次に、ステップＳ２１において取得された株価情報及び時事ニュースのヘッドライン情報をデータ記憶部３２に記憶する（ステップＳ２２）。なお、上述のステップＳ２１における処理は、待ち受けアプリケーションが非活性モードの際に行われる処理であるため、情報を取得する処理と並行して電話をかける等の処理を行うことができる。
【００５２】
次に、ステップＳ２２においてデータ記憶部３２に記憶された株価情報及び時事ニュースのヘッドライン情報をそれぞれ表示部１６に表示する（ステップＳ２３）。即ち、表示部１６において、背景画像の主要部と重複しない株価情報表示領域５０に株価情報を、ニュース表示領域５２に時事ニュースのヘッドライン情報をそれぞれ表示する。ここで、携帯電話２を用いて、例えば、通話が行われている場合、通話中は表示部１６に通話中であることを示すアイコン、通話時間及び通話先の電話番号等が表示される。従って、通話が終了した時点で背景画像、株価情報及び時事ニュースのヘッドライン情報が表示部１６に表示される。
【００５３】
なお、株価情報及び時事ニュースのヘッドライン情報は株価情報表示領域５０及びニュース表示領域５２において、それぞれティッカー形式で表示される。このティッカー形式とは、テキストを構成する文字列を右から左へ横方向にスクロールさせて表示する形式をいう。
【００５４】
また、待ち受けアプリケーションのモードが非活性モードから活性化モードに切り替えられて、待ち受けアプリケーションが活性化された場合には、例えば、株価情報が提供されている株式銘柄についての詳細を示す情報等の閲覧を行うことができる。即ち、非活性モードから活性化モードに切り替えられた場合には、株価情報提供アプリケーションプログラムを提供している証券会社のＷｅｂサイトへの接続が行われる。従って、証券会社のＷｅｂサイトにおいて、特定銘柄の株式についての詳細に関する情報や株価情報が提供されていない他の株式銘柄の株価を閲覧することができる。また、証券会社のＷｅｂサイトに、例えば、ユーザＩＤ及びパスワードを用いてログインし株式売却の注文を発注等することにより、携帯電話２を用いて株式取引を行うことができるようにしてもよい。また、待ち受けアプリケーションを活性化することにより、時事ニュースのヘッドライン情報を提供しているＷｅｂサイトに接続し、提供された時事ニュースのヘッドライン情報以外の時事ニュースのヘッドライン情報やニュースの詳細を閲覧等することができる。
【００５５】
この発明の実施の形態に係る待ち受けアプリケーションプログラムによれば、待ち受けアプリケーションの背景画像として任意の画像をユーザが設定し、設定された画像の主要部と重複しない表示領域に株価情報及び時事ニュースのヘッドライン情報を表示することができる。従って、自分の好みの画像を待ち受け画像として用いることを希望しているユーザにも、この待ち受けアプリケーションプログラムの登録を促すことができる。そのため、例えば、証券会社のＷｅｂサイトを介して待ち受けアプリケーションプログラムを提供することにより、ネットワークを介してこの待ち受けアプリケーションプログラムをダウンロードし待ち受け画面に常駐させる待ち受けアプリケーションとして登録するユーザの割合を増加させることができる。
【００５６】
また、この発明の実施の形態に係る待ち受けアプリケーションプログラムが組み込まれた携帯電話によれば、待ち受けアプリケーションの背景に表示される画像をユーザが任意に設定することができる。即ち、携帯電話に記憶されている任意の画像を待ち受けアプリケーションの背景に用いられる画像として設定し、待ち受け時に、設定された背景画像と待ち受けアプリケーションとを表示することができる。従って、この株価情報提供アプリケーションの待ち受けアプリケーションとしての利用を促進することにより、携帯電話を、例えば、ユーザに対する広告宣伝用ツールとして機能させることができる。
【００５７】
また、この発明の実施の形態に係る待ち受けアプリケーションプログラムが組み込まれた携帯電話によれば、背景に用いる画像の主要部と重複しない表示領域に待ち受けアプリケーションにより提供される情報を表示することができる。従って、ユーザにより設定された背景画像を違和感なく、例えば、人物の写真画像において、顔の中心部分に待ち受けアプリケーションにより提供される情報が表示されること等がないように、提供される情報を表示することができる。そのため、待ち受け画像として表示される画像に、家族等の親しい人物やペット等の写真を用いることを希望しているユーザのニーズに合致した待ち受けアプリケーションプログラムを提供し、この待ち受けアプリケーションの利用を促進させることができる。
【００５８】
なお、この発明の実施に形態に係る待ち受けアプリケーションプログラムが組み込まれた携帯電話においては、ユーザに対して提供される情報に差異を設けていないが、一定の条件に基づいて提供される情報に差異を設けるようにしてもよい。例えば、待ち受けアプリケーションとして登録されているアプリケーションプログラムを提供している証券会社に、口座を有しているか否かにより提供される情報に差異を設けるようにしてもよい。即ち、口座を有しているユーザに対しては、最新の株価情報を提供し、口座を有していないユーザに対しては２０分遅れの株価情報を提供するようにしてもよい。
【００５９】
また、口座の有無によりユーザに対して提供される情報に差異を設けている場合に、口座を有していないユーザが後に口座を開設した際には、そのユーザが携帯電話を用いて証券会社のＷｅｂサイトに接続しログインすることにより、提供される情報を変更するようにしてもよい。即ち、ユーザが携帯電話を介して証券会社のＷｅｂサイトにログインすることにより、該ユーザの口座が存在することを確認し、最新の株価情報を提供するようにしてもよい。
【００６０】
また、この発明の実施の形態に係る待ち受けアプリケーションプログラムが組み込まれた携帯電話においては、株価情報が提供される株式銘柄を登録しているが、時事ニュースのヘッドライン情報が提供されるニュースのジャンルを登録するようにしてもよい。例えば、テクノロジー、経済、政治、国際、エンターテインメント、社会、スポーツ等のジャンルの中から任意に選択して登録されたジャンルの時事ニュースのヘッドライン情報を提供するようにしてもよい。
【００６１】
また、この発明の実施の形態に係る待ち受けアプリケーションプログラムが組み込まれた携帯電話においては、株価情報及び時事ニュースのヘッドライン情報を提供しているが、株価情報のみ又は時事ニュースのヘッドライン情報のみを提供するようにしてもよい。また、株価情報及び時事ニュースのヘッドライン情報に加えて、その他の情報を提供するようにしてもよい。
【００６２】
また、例えば、証券会社におけるキャンペーンを告知するキャンペーン情報を不定期に提供するようにしてもよい。この場合には、株価情報表示欄及びニュース表示欄以外の欄に、例えば、表示部の上端部の一部領域にキャンペーン情報を表示するようにしてもよい。
【００６３】
また、上述の実施の形態に係る待ち受けアプリケーションプログラムを組み込む携帯情報機器として、携帯電話を例としているが、その他の携帯情報機器に待ち受けアプリケーションプログラムを組み込むようにしてもよい。例えば、ＰＤＡ（Ｐｅｒｓｏｎａｌ  Ｄｉｇｉｔａｌ  Ａｓｓｉｓｔａｎｔ）等、ネットワークを介して株価情報等の所定情報を取得することができる携帯情報機器に組み込むようにしてもよい。
【図面の簡単な説明】
【００６４】
【図１】この発明を実施するための最良の形態に係る携帯情報機器の外観を示す図である。
【図２】この発明を実施するための最良の形態に係る携帯情報機器のブロック構成図である。
【図３】この発明を実施するための最良の形態に係る携帯情報機器とＷｅｂサーバとの接続状況を説明するための図である。
【図４】この発明を実施するための最良の形態に係る携帯情報機器において待ち受けアプリケーションを登録する処理を説明するためのフローチャートである。
【図５】この発明を実施するための最良の形態に係る株価情報及び時事ニュースのヘッドライン情報の表示パターンの例を示す図である。
【図６】この発明を実施するための最良の形態に係る携帯情報機器の表示部に設定された表示領域の一例を示す図である。
【図７】この発明を実施するための最良の形態に係る待ち受けアプリケーションプログラムにより所定情報が提供される処理を説明するためのフローチャートである。
【符号の説明】
【００６５】
２…携帯電話、６…上側筐体、８…下側筐体、１６…表示部、２０…入力部、３０…データ制御部、３２…データ記憶部、４０…ネットワーク、４２ａ、４２ｂ、４２ｃ…Ｗｅｂサーバ、４４…携帯電話基地局。
【図１】
2005039525.tif 000003
【図２】
2005039525.tif 000004
【図３】
2005039525.tif 000005
【図４】
2005039525.tif 000006
【図５】
2005039525.tif 000007
【図６】
2005039525.tif 000008
【図７】
2005039525.tif 000009